(57)【要約】      （修正有）【課題】簡単な構成で、プリント回路基板および再生ユニットを固定でき、固定作業効率の改善により、コストの削減が図れる映像記録再生機能付きテレビジョンを提供する。【解決手段】再生ユニットを固定するＬ字形状のユニット固定金具７には、固定孔を有する取付部７１ａ、７２ａ、７３ａが形成される。主プリント回路基板５は、凹部５１を有するコ字形状の基板５２によって形成され、凹部５１には補助プリント回路基板６の少なくとも一部が配設される。ユニット固定金具７を、主プリント回路基板５と、補助プリント回路基板６とを跨ぐように配設し、ユニット固定金具７の取付部７１ａ、７２ａ、７３ａを用いて主プリント回路基板５および補助プリント回路基板６と一体的にシャーシ８に着脱可能に固着するとともに、再生ユニットをユニット固定金具７に装着する。【選択図】図４
2007305178.tif 000002
【特許請求の範囲】
【請求項１】
シャーシと、少なくとも電源部が実装され、前記シャーシに装着された主プリント回路基板と、少なくとも映像処理手段が実装され、前記シャーシに装着された補助プリント回路基板と、前記映像処理手段により処理された映像を表示する機能を有する映像表示手段と、記憶媒体に記録された映像を再生する機能を有する再生ユニットと、を備えた映像記録再生機能付きテレビジョンにおいて、
前記再生ユニットを固定するＬ字形状のユニット固定金具を更に備え、前記主プリント回路基板は、凹部を有するコ字形状の基板によって形成され、前記凹部に前記補助プリント回路基板の少なくとも一部を配設するとともに、前記ユニット固定金具には、当該ユニット固定金具の両端部および隅部の３箇所に固定孔を有する取付部を形成し、当該ユニット固定金具を、一方の端部の前記取付部が前記主プリント回路基板側に位置し、他方の端部の前記取付部および隅部の前記取付部が前記補助プリント回路基板側に位置するように前記主プリント回路基板と、前記補助プリント回路基板とを跨ぐように配設し、当該ユニット固定金具を３箇所の前記取付部を用いて前記主プリント回路基板および前記補助プリント回路基板と一体的に前記シャーシに着脱可能に固着し、かつ、前記再生ユニットを前記ユニット固定金具に装着したしたことを特徴とする映像記録再生機能付きテレビジョン。
【請求項２】
シャーシと、前記シャーシに装着された主プリント回路基板と、前記シャーシに装着された補助プリント回路基板と、映像を表示する機能を有する映像表示手段と、記憶媒体に記録された映像を再生する機能を有する再生ユニットと、を備えた映像記録再生機能付きテレビジョンにおいて、
前記再生ユニットを固定するＬ字形状のユニット固定金具を更に備え、前記主プリント回路基板は、凹部を有するコ字形状の基板によって形成され、前記凹部に前記補助プリント回路基板の少なくとも一部を配設するとともに、前記ユニット固定金具には、固定孔を有する取付部を形成し、当該ユニット固定金具を、前記主プリント回路基板と、前記補助プリント回路基板とを跨ぐように配設し、当該ユニット固定金具の前記取付部を用いて前記主プリント回路基板および前記補助プリント回路基板と一体的に前記シャーシに着脱可能に固着し、かつ、前記再生ユニットを前記ユニット固定金具に装着したしたことを特徴とする映像記録再生機能付きテレビジョン。
【請求項３】
前記ユニット固定金具は、前記取付部の周辺を除く部分を折り曲げて前記再生ユニットを載置する載置面を形成するとともに、前記載置面の少なくとも一部の断面形状をコ字状に形成したことを特徴とする請求項１または請求項２に記載の映像記録再生機能付きテレビジョン。
【請求項４】
前記映像表示手段の表示面が露出する本体ケースを更に備え、前記本体ケースの上面には、前記記憶媒体を導入および排出する開口部を有し、当該開口部から前記記憶媒体を前記再生ユニットに導入および排出するように形成したことを特徴とする請求項１または請求項２に記載の映像記録再生機能付きテレビジョン。
【請求項５】
前記取付部の前記補助プリント回路基板側に位置する他方の端部を、前記補助プリント回路基板側に折り曲げて係止部を形成し、当該係止部を前記補助プリント回路基板の側端部に当接したことを特徴とする請求項１乃至請求項３のいずれかに記載の映像記録再生機能付きテレビジョン。
【発明の詳細な説明】
【技術分野】
【０００１】
本発明は、例えば、ＤＶＤ、ＣＤ、ビデオテープなどの記憶媒体に記録された映像を再生する再生ユニットを備えた映像記録再生機能付きテレビジョンに関するものである。
【背景技術】
【０００２】
従来から、この種テレビジョンにあっては、テレビジョンを構成する各種要素、例えば、映像表示手段である液晶モジュール、再生ユニット、プリント回路基板、その他各種付属部品などを、直接または間接的にシャーシなどに装着している。
【０００３】
従来、この種電子機器では、例えば、ディスク駆動機構の構体にディスク駆動機構の制御回路を備えたプリント回路基板を取り付けるのに、ビス止めに代えて、トップカバーに絞り加工を施して形成した横向き突起と、構体に設けた複数箇所の横向き突起とにより、プリント回路基板を前後および左右の２軸方向で位置決めし、かつ、トップカバーに具備した下向き突起と構体の座面とによりプリント回路基板を上下方向で挟んで位置決めするようにしたものがある(例えば、特許文１参照）。また、ベース基板である下層プリント回路基板の上に駆動機構を載置するとともに、装置のスタンバイ時の電力を制御する機能を有する上層プリント回路基板を、フレームに設けたボスにビスにより取り付け、下層プリント回路基板の上部に配設するようにしたものがある(例えば、特許文２参照）。
【特許文献１】実用新案登録第３１０７００４号公報
【特許文献２】実用新案登録第３１０７００６号公報
【発明の開示】
【発明が解決しようとする課題】
【０００４】
しかし、前述の特許文献１記載の構成では、トップカバーおよび構体に形成した複数箇所の横向き突起や下向き突起により、プリント回路基板を固定しているので、これら突起を設ける位置精度、即ち、寸法精度が要求される他、製作過程では、プリント回路基板は、構体に固定されていないので極めて不安定であるなどといった問題がある。また、前述の特許文献２記載の構成では、駆動機構を制御するプリント回路基板については、記載されていない。従って、駆動機構を制御するプリント回路基板は、別途、下層プリント回路基板或いは、特許文献１記載のように駆動機構に取り付けるなど、考慮する必要があった。
【０００５】
本発明は、上述した問題を解決するためになされたものであり、簡単な構成で、プリント回路基板および再生ユニットを固定し、しかも、固定作業効率の改善を図り、コストの削減が図れるようにした映像記録再生機能付きテレビジョンを提供することを目的とする。
【課題を解決するための手段】
【０００６】
かかる目的を達成するため、本発明では、シャーシと、少なくとも電源部が実装され、シャーシに装着された主プリント回路基板と、少なくとも映像処理手段が実装され、シャーシに装着された補助プリント回路基板と、映像処理手段により処理された映像を表示する機能を有する映像表示手段と、記憶媒体に記録された映像を再生する機能を有する再生ユニットと、を備えた映像記録再生機能付きテレビジョンにおいて、再生ユニットを固定するＬ字形状のユニット固定金具を更に備え、主プリント回路基板は、凹部を有するコ字形状の基板によって形成され、凹部に補助プリント回路基板の少なくとも一部を配設するとともに、ユニット固定金具には、当該ユニット固定金具の両端部および隅部の３箇所に固定孔を有する取付部を形成し、当該ユニット固定金具を、一方の端部の取付部が主プリント回路基板側に位置し、他方の端部の取付部および隅部の取付部が補助プリント回路基板側に位置するように主プリント回路基板と、補助プリント回路基板とを跨ぐように配設し、当該ユニット固定金具を３箇所の取付部を用いて主プリント回路基板および補助プリント回路基板と一体的にシャーシに着脱可能に固着し、かつ、再生ユニットをユニット固定金具に装着する。
【０００７】
この構成によれば、補助プリント回路基板は、主プリント回路基板の凹部に配設され、これら主プリント回路基板および補助プリント回路基板は、Ｌ字形状のユニット固定金具とともに当該ユニット固定金具の両端部および隅部の３箇所において一体的に、シャーシに固着しているので、ユニット固定金具のみを、別途、シャーシに固着する必要がないとともに、固着箇所は、３箇所と少なくできる。また、製作過程で主プリント回路基板および補助プリント回路基板は、ユニット固定金具とともに一体的に固着され、また、再生ユニットは、ユニット固定金具に装着されているので、製作過程における不安定性は解消される。しかも、主プリント回路基板および補助プリント回路基板などは、主プリント回路基板および補助プリント回路基板を固着するために、殊更、寸法精度が要求されない。この結果、上述の固着作業を含む作業効率の改善を図ることができ、映像記録再生機能付きテレビジョンのコストの削減が図れる。
【０００８】
また、本発明においては、シャーシと、シャーシに装着された主プリント回路基板と、シャーシに装着された補助プリント回路基板と、映像を表示する機能を有する映像表示手段と、記憶媒体に記録された映像を再生する機能を有する再生ユニットと、を備えた映像記録再生機能付きテレビジョンにおいて、再生ユニットを固定するＬ字形状のユニット固定金具を更に備え、主プリント回路基板は、凹部を有するコ字形状の基板によって形成され、凹部に補助プリント回路基板の少なくとも一部を配設するとともに、ユニット固定金具には、固定孔を有する取付部を形成し、当該ユニット固定金具を、主プリント回路基板と、補助プリント回路基板とを跨ぐように配設し、当該ユニット固定金具の取付部を用いて主プリント回路基板および補助プリント回路基板と一体的にシャーシに着脱可能に固着し、かつ、再生ユニットを前記ユニット固定金具に装着する。
【０００９】
この構成によれば、補助プリント回路基板は、主プリント回路基板の凹部に配設され、これら主プリント回路基板および補助プリント回路基板は、Ｌ字形状のユニット固定金具とともに一体的にシャーシに固着しているので、ユニット固定金具のみを、別途、シャーシに固着する必要がない。また、製作過程で主プリント回路基板および補助プリント回路基板は、ユニット固定金具とともに一体的に固着され、また、再生ユニットは、ユニット固定金具に装着されているので、製作過程の不安定性は解消される。しかも、主プリント回路基板および補助プリント回路基板などは、主プリント回路基板および補助プリント回路基板を固着するために、殊更、寸法精度が要求されない。この結果、上述の固着作業を含む作業効率の改善を図ることができ、映像記録再生機能付きテレビジョンのコストの削減が図れる。
【００１０】
また、本発明においては、ユニット固定金具は、取付部の周辺を除く部分を折り曲げて再生ユニットを載置する載置面を形成するとともに、載置面の少なくとも一部の断面形状をコ字状に形成する。この構成によれば、回路基板再生ユニットは、簡単な構成により、主プリント回路基板および補助プリント回路基板から所望の距離、例えば、絶縁距離を離して設置することができるので、都合が良い。また、載置面の少なくとも一部の断面形状がコ字状に形成されているので、機械的に強固なものとなり、都合が良い。
【００１１】
また、本発明においては、映像表示手段の表示面が露出する本体ケースを更に備え、前記本体ケースの上面には、前記記憶媒体を導入および排出する開口部を有し、当該開口部から前記記憶媒体を前記再生ユニットに導入および排出するように形成する。
【００１２】
この構成によれば、再生ユニットを縦型とし、記憶媒体を本体ケースの上面から導入および排出するように構成することができ、また、このように再生ユニットを縦型としても、再生ユニットは、確実にシャーシに装着されているので、記憶媒体の導入および排出をスムーズに行うことができ、都合が良い。
【００１３】
更に、本発明においては、取付部の補助プリント回路基板側に位置する他方の端部を、補助プリント回路基板側に折り曲げて係止部を形成し、当該係止部を補助プリント回路基板の側端部に当接する。
【００１４】
この構成によれば、ユニット固定金具を主プリント回路基板および補助プリント回路基板に跨って配設する際、当該ユニット固定金具に形成した係止部を、補助プリント回路基板の側端部に当接すれば、極めて簡単に、ユニット固定金具の配設位置を決めることができ、都合が良い。
【発明の効果】
【００１５】
本発明によれば、簡単な構成で、プリント回路基板および再生ユニットを固定し、しかも、固定を含む作業効率の改善を図り、コストの削減が図れることができるようにした映像記録再生機能付きテレビジョンを得ることができる。
【発明を実施するための最良の形態】
【００１６】
（実施形態）
以下、本発明の一実施形態を図１乃至図８に基づいて説明する。図１は、本発明の一実施形態に係る映像記録再生機能付きテレビジョンの概略構成を示す斜視図、図２は、図１に映像記録再生機能付きテレビジョンの要部側面図、図３は、図２の要部上面図である。図４は、主プリント回路基板と、補助プリント回路基板と、ユニット固定金具との配置関係を説明するための概念図である。図５は、ユニット固定金具の一例を示す平面図、図６は、図５に示すユニット固定金具の正面図、図７は、図５のＡ−Ａ視断面図である。図８は、主プリント回路基板と、補助プリント回路基板と、ユニット固定金具との配置関係の他の例を示す概念図である。
【００１７】
図１に示す映像記録再生機能付きテレビジョン１は、厚みの薄い略矩形状の本体ケース２を有している。本体ケース２は、図示しないスタンドや壁掛け機構などにより略鉛直に正立され、その正面側に矩形状の開口２１が設けられている。開口２１には、図２および図３に示す映像表示手段である、例えば、液晶モジュール３の表示面である液晶パネル３１が嵌め込まれ、この液晶パネル３１において映像を表示することが可能となっている。
【００１８】
また、本体ケース２の上面には、幅方向に細長い矩形状の開口部２２が形成され、この開口部２２によって本体ケース２の内部と、外部とが連通するように構成されている。この開口部２２には、図示しないが、例えば、回転式のドアなどが装着され、ディスク状のＤＶＤやＣＤなどからなる記憶媒体Ｄを、図２および図３に示すように、再生ユニット４に導入および排出する際に、開閉されるように構成されている。
【００１９】
かかる構成により、例えば、本体ケース２に設けられた図示しない操作部を操作し、開口部２２から図示しないディスクトレイを導出し、所望の記憶媒体Ｄを載せ、本体ケース２内に配設された、再生ユニット４内に挿入し、当該記憶媒体Ｄに記憶されたデジタル動画情報などを再生し、液晶パネル３１に動画を表示する。
【００２０】
而して、本発明に従い、図２乃至図４に示すように、主プリント回路基板５は、凹部５１を有するコ字形状の基板５２によって形成され、この基板５２に電源トランス５３などを有する電源部（電源回路パタン）５４が実装されている。また、補助プリント回路基板６は、例えば、矩形状の基板６１に映像処理手段６２が実装され、上述の主プリント回路基板５の凹部５１に少なくともその一部が位置するように配設されている。なお、図示しないが、主プリント回路基板５および補助プリント回路基板６には、必要に応じて、制御部を構成するＣＰＵ、メモリ素子、各種のコネクタ類などからなる各種電子部品が実装されている。
【００２１】
また、再生ユニット４が装着されるユニット固定金具７は、図５乃至図７に示すように、両端部７１、７２および隅部７３の３箇所に固定孔７４を有する取付部７１ａ、７２ａ、７３ａが形成されている。また、ユニット固定金具７の取付部７１ａ、７２ａ、７３ａの周辺を除く部分は、折り曲げられ再生ユニット４を載置する載置面７５が形成されているとともに、この載置面７５には、例えば、再生ユニット４を取付けネジなどの固着手段で固着するためのネジ孔７６が複数個設けられている。また、図示するように、載置面７５の少なくとも一部の断面形状をコ字状７５ａ（図７参照）に形成にすると、機械的に強固なものとなり、都合が良い。
【００２２】
また、ユニット固定金具７は、一方の端部７１の取付部７１ａが主プリント回路基板５側に位置し、他方の端部７２の取付部７２ａおよび隅部７３の取付部７３ａが補助プリント回路基板６側に位置するように主プリント回路基板５と、補助プリント回路基板６とを跨ぐように配設する。そして、ユニット固定金具７を、３箇所の取付部７１ａ、７２ａ、７３ａを用いて主プリント回路基板５および補助プリント回路基板６と一体的にシャーシ８に着脱可能に固着する。このシャーシ８への取付けは、例えば、シャーシ８に形成された、ボス部８１を利用する。このボス部８１は、例えば、シャーシ８を製作する際に、絞り加工などにより一体的に形成することができる。その後、再生ユニット４を、図示しない取付けネジなどの固着手段を用いて、ユニット固定金具７に装着する。なお、主プリント回路基板５および補助プリント回路基板６は、必要に応じて上述の固着以外に、別途、シャーシ８のボス部８１に固着しても良いのは、勿論である。
【００２３】
また、図８に示すように、再生ユニット４が装着されるユニット固定金具７は、一方の端部の取付部７１ａおよび隅部の取付部７３ａが主プリント回路基板５側に位置し、他方の端部の取付部７２ａが補助プリント回路基板６側に位置するように主プリント回路基板５と、補助プリント回路基板６とを跨ぐように配設しても良いのは、勿論である。
【００２４】
また、ユニット固定金具７の補助プリント回路基板６側に位置する他方の端部７２を、補助プリント回路基板６側に折り曲げて係止部７７を形成し、当該係止部７７を補助プリント回路基板６の側端部６３に当接するように形成する。
【００２５】
以上の構成による本実施形態では、補助プリント回路基板６は、主プリント回路基板５の凹部５１に配設され、これら主プリント回路基板５および補助プリント回路基板６１は、Ｌ字形状のユニット固定金具７とともに当該ユニット固定金具７の両端部７１ａ、７２ａおよび隅部７３ａの３箇所において一体的に、シャーシ８に固着しているので、ユニット固定金具７のみを、別途、シャーシ８に固着する必要がないとともに、固着箇所は、３箇所と少なくできる。また、製作過程で主プリント回路基板５および補助プリント回路基板６は、ユニット固定金具７とともに一体的に固着され、また、再生ユニット４は、ユニット固定金具７に装着されているので、製作過程における不安定性は解消される。しかも、主プリント回路基板５および補助プリント回路基板６などは、主プリント回路基板５および補助プリント回路基板６を固着するために、殊更、寸法精度が要求されない。この結果、上述の固着作業を含む作業効率の改善を図ることができ、映像記録再生機能付きテレビジョンのコストの削減が図れる。
【００２６】
また、回路基板再生ユニット７は、簡単な構成により、主プリント回路基板５および補助プリント回路基板６から所望の距離、例えば、絶縁距離を離して設置することができるので、都合が良い。また、載置面７５の少なくとも一部の断面形状がコ字状７５ａに形成されているので、機械的に強固なものとなり、都合が良い。
【００２７】
また、再生ユニット４を縦型とし、記憶媒体Ｄを本体ケース２の上面から導入および排出するように構成することができ、また、このように再生ユニット４を縦型としても、再生ユニット４は、確実にシャーシ８に装着されているので、記憶媒体Ｄを導入および排出をスムーズに行うことができ、都合が良い。
【００２８】
更に、ユニット固定金具７を主プリント回路基板５および補助プリント回路基板６に跨って配設する際、当該ユニット固定金具７に形成した係止部７７を、補助プリント回路基板６の側端部６３に当接すれば、極めて簡単に、ユニット固定金具７の配設位置を決めることができ、都合が良い。
【００２９】
なお、上述した各実施形態は、本発明の好適な実施例であるが、本発明はこれに限定されるものではなく、本発明の要旨を逸脱しない範囲において、種々変形実施可能である。
【００３０】
例えば、上述した実施形態では、再生ユニット４を縦型とした場合について詳述したが、再生ユニット４を横型としても良いのは、勿論である。
【００３１】
また、上述した実施形態では、映像表示手段として液晶モジュールを用いた映像記録再生機能付きテレビジョンについて詳述したが、例えば、プラズマディスプレイを用いた映像記録再生機能付きテレビジョンに本発明を適用しても良いのは、勿論である。
【図面の簡単な説明】
【００３２】
【図１】本発明の一実施形態に係る映像記録再生機能付きテレビジョンの概略構成を示す斜視図である。
【図２】図１に映像記録再生機能付きテレビジョンの要部側面図である。
【図３】図２の要部上面図である。
【図４】主プリント回路基板と、補助プリント回路基板と、ユニット固定金具との配置関係を説明するための概念図である。
【図５】ユニット固定金具の一例を示す平面図である。
【図６】図５に示すユニット固定金具の正面図である。
【図７】図５のＡ−Ａ視断面図である。
【図８】主プリント回路基板と、補助プリント回路基板と、ユニット固定金具との配置関係の他の例を示す概念図である。
【符号の説明】
【００３３】
Ｄ      記憶媒体（ＤＶＤ，ＣＤ）
１      映像記録再生機能付きテレビジョン
２      本体ケース
３      映像表示手段（液晶モジュール）
４      再生ユニット
５      主プリント回路基板
５１    凹部
５２    基板
５４    電源部
６      補助プリント回路基板
６２    映像処理手段
６３    側端部
７      ユニット固定金具
７１    端部
７１ａ  取付部
７２    端部
７２ａ  取付部
７３    隅部
７３ａ  取付部
７５    載置面
７５ａ  コ字状
７７    係止部
８      シャーシ
【図１】
2007305178.tif 000003
【図２】
2007305178.tif 000004
【図３】
2007305178.tif 000005
【図４】
2007305178.tif 000006
【図５】
2007305178.tif 000007
【図６】
2007305178.tif 000008
【図７】
2007305178.tif 000009
【図８】
2007305178.tif 000010